(57)【要約】      （修正有）【課題】大腿骨内の骨髄細胞の破壊を抑制し、術後において早期に骨髄細胞の再生を図ることが可能な人工関節置換術に好適に用いることができる人工股関節用部品を提供する。【解決手段】人工股関節用部品１０は、骨頭ボール１２を支持する本体部１４と、本体部１４と一体に形成され、本体部１４よりも細径の挿入部１６と、を備えている。挿入部１６の外面には、大腿骨５０の内部に挿入された際に対向する髄腔６０の内面形状と略一致する形状の嵌合面１７が周方向に亘って設けられている。また本体部１４及び挿入部１６は、挿入部１６の先端に形成された開口３２を通じて外部と連通する空隙を多数備えたポーラス構造体で構成されている。【選択図】図１
2020028509.tif 000002
【特許請求の範囲】
【請求項１】
別体もしくは一体で形成された骨頭ボールを支持する本体部と、
該本体部と一体に形成され、該本体部よりも細径の挿入部と、を備え、
該挿入部の外面には、大腿骨の内部に挿入された際に対向する髄腔の内面形状と略一致する形状の嵌合面が周方向に亘って設けられており、
前記本体部及び／又は挿入部の少なくとも一部が、前記挿入部の先端に形成された開口を通じて外部と連通する空隙を多数備えたポーラス構造体で構成されていることを特徴とする人工股関節用部品。
【請求項２】
複数の貫通孔を備えた薄肉の表皮層が、前記ポーラス構造体の外周を覆うように、該ポーラス構造体と一体に形成されていることを特徴とする請求項１に記載の人工股関節用部品。
【請求項３】
請求項１，２の何れかに記載の人工股関節用部品の製造方法であって、
前記人工股関節用部品に置換される大腿骨から取得したＣＴ断面撮影データもしくはＭＲＩ断面撮影データの重ね合せにより再現された前記大腿骨の３次元形状に基づいて、前記人工股関節用部品の形状を決定し、
金属粉末材料を用いた積層造形法により、前記人工股関節用部品を造形することを特徴とする人工股関節用部品の製造方法。
【発明の詳細な説明】
【技術分野】
【０００１】
この発明は、大腿骨の人工関節置換術に用いられる人工股関節用部品およびその製造方法に関する。
【背景技術】
【０００２】
図７（Ａ）は、大腿骨を模式化して示した図である。同図において、５０は大腿骨、５２は骨頭、５３は頸部、５４は大転子である。大腿骨５０の外面は皮質骨５６で覆われ、その内部は、骨端側が小孔と網目状の骨梁からなる海綿質５８で形成され、骨幹側には髄腔６０が広がっている。この髄腔６０の内部は骨髄細胞で満たされている。かかる大腿骨５０では、骨頭５２が図示を省略する骨盤の寛骨臼に嵌り合って骨盤からの荷重を支持している。
【０００３】
ここで、大腿骨の一部が損傷した場合、大腿骨の一部を、人工関節に置換する人工関節置換術が行われている。人工関節における大腿骨側の部品としては、大腿骨に挿入・固定されるステムと、骨頭の機能を果たす別体の骨頭ボールと、が用いられている（例えば下記特許文献１参照）。
【０００４】
これらステムおよび骨頭ボールを用いた人工関節置換術の一例を、図７（Ｂ）に示す。人工関節置換術では、大腿骨５０の一部（損傷部を含む骨端側の部位）を切除した後、残存する大腿骨５０の中央部を掘削し、ステム６２を挿入可能な大きさ・形状の挿入孔６４を形成する。そして挿入孔６４内にステム６２を挿入したのち、ステム６２と挿入孔６４との間の隙間に医療用セメント６６を充填して、ステム６２を固定する。なお、図７（Ｂ）において、６３は骨頭の機能を果たす骨頭ボールである。
【０００５】
しかしながら上記のような人工関節置換術では、挿入孔６４を形成するための掘削により髄腔６０周りが大きく削り取られてしまうため、大腿骨５０の髄腔６０内に存在していた骨髄細胞もそのほとんどが破壊されてしまっていた。かかる髄腔６０内の骨髄細胞からは血圧や血糖値に影響を与えるホルモンが分泌されており、人工関節置換術で失われた骨髄細胞を早期に再生させることが望まれていた。
【先行技術文献】
【特許文献】
【０００６】
【特許文献１】特開平７−２６５３４１号公報
【発明の概要】
【発明が解決しようとする課題】
【０００７】
本発明は以上のような事情を背景とし、大腿骨内の骨髄細胞の破壊を抑制し、術後において早期に骨髄細胞の再生を図ることが可能な人工関節置換術に好適に用いることができる人工股関節用部品およびその製造方法を提供することを目的としてなされたものである。
【課題を解決するための手段】
【０００８】
而して本発明の人工股関節用部品は、別体もしくは一体で形成された骨頭ボールを支持する本体部と、
該本体部と一体に形成され、該本体部よりも細径の挿入部と、を備え、
該挿入部の外面には、大腿骨の内部に挿入された際に対向する髄腔の内面形状と略一致する形状の嵌合面が周方向に亘って設けられており、
前記本体部及び／又は挿入部の少なくとも一部が、前記挿入部の先端に形成された開口を通じて外部と連通する空隙を多数備えたポーラス構造体で構成されていることを特徴とする。
【０００９】
本発明の人工股関節用部品では、挿入部の外面に、大腿骨の内部に挿入された際に対向する髄腔の内面形状と略一致する形状の嵌合面が周方向に亘って設けられているため、本来的に大腿骨の内部に形成されている空洞部である髄腔を利用して、人工股関節用部品を位置固定することができる。このため本発明の人工股関節用部品を用いた人工関節置換術では、人工股関節用部品を患者の大腿骨内に挿入するに際し、改めて人工股関節用部品の挿入部の外面形状に合わせて大腿骨の内部を掘削する作業を廃止もしくは最小限に留めることができ、髄腔内の骨髄細胞が掘削作業により破壊されてしまうのを防止することができる。従って、本発明の人工股関節用部品を用いた人工関節置換術では、多くの骨髄細胞を残存させることができる。
また、本発明の人工股関節用部品を用いた人工関節置換術では、大腿骨の内部を掘削する作業を実質的に廃止することで、手術時間の大幅な削減を図ることができる。
【００１０】
また本発明では、本体部及び／又は挿入部の少なくとも一部を、多数の空隙を備えたポーラス構造体で構成しているため、挿入部の先端に形成された開口を通じて人工股関節用部品の内部に進入した骨髄細胞を、かかるポーラス構造体に定着させることで、骨髄細胞を早期に再生させることができる。また、多数の空隙を備えたポーラス構造体は、人工股関節用部品の軽量化にも有効である。
【００１１】
ここで本発明では、複数の貫通孔を備えた薄肉の表皮層を、前記ポーラス構造体の外周を覆うように、該ポーラス構造体と一体に形成することができる。
【００１２】
人工股関節用部品の一部をポーラス構造体とした場合であっても、その外周を覆うように表皮層を設けることで、所定の強度を確保することが容易となる。また、人工股関節用部品を積層造形法で造形する場合の製造性を向上させることができる。
ここで、表皮層に形成された貫通孔は、人工股関節用部品を積層造形法で造形した際、人工股関節用部品内に残存する未溶融の金属粉末を外部に排出するための排出孔として用いられる。また、本発明の人工股関節用部品が患者の大腿骨に固定された後は、かかる貫通孔を通じて表皮層を内外に貫通する血管が形成される。
【００１３】
次に、本発明の人工股関節用部品の製造方法は、人工股関節用部品に置換される大腿骨から取得したＣＴ断面撮影データもしくはＭＲＩ断面撮影データの重ね合せにより再現された大腿骨の３次元形状に基づいて、前記人工股関節用部品の形状を決定し、
金属粉末材料を用いた積層造形法により、前記人工股関節用部品を造形することを特徴とする。
【００１４】
本発明の製造方法によれば、ＣＴ断面撮影データもしくはＭＲＩ断面撮影データの重ね合せにより再現された大腿骨の３次元形状に基づいて、患者ごとに最適な形状の人工股関節用部品を提供することができる。このような製造方法によれば、本発明の特徴を備えた人工股関節用部品、即ち、挿入部の外面に、患者の髄腔の内面形状と略一致する形状の嵌合面が設けられた人工股関節用部品を容易に製造することができる。また、本発明の製造方法にて採用する積層造形法によれば、形状において高い自由度が得られるため、複雑な形状を有するポーラス構造体にも対応することができる。
【発明の効果】
【００１５】
以上のような本発明によれば、大腿骨内の骨髄細胞の破壊を抑制し、術後において早期に骨髄細胞の再生を図ることが可能な人工関節置換術に好適に用いることができる人工股関節用部品およびその製造方法を提供することができる。
【図面の簡単な説明】
【００１６】
【図１】（Ａ）は本発明の一実施形態の人工股関節用部品を別体の骨頭ボールとともに示した側面図、（Ｂ）は同人工股関節用部品の挿入部側の部位を底面側から示した図である。
【図２】図１の人工股関節用部品の縦断面図である。
【図３】図１の人工股関節用部品の製造手順を示したフローである。
【図４】（Ａ）は図１の人工股関節用部品の挿入部を拡大して示した図、（Ｂ）は挿入部の嵌合面領域を異ならせた変形例の図である。
【図５】図１の人工股関節用部品を用いた人工関節置換術の説明図である。
【図６】図１の人工股関節用部品の効果を説明するための図である。
【図７】（Ａ）は大腿骨を模式化して示した図、（Ｂ）は従来のステムを用いた人工関節置換術の説明図である。
【発明を実施するための形態】
【００１７】
次に本発明の実施形態を図面に基づいて詳しく説明する。
図１（Ａ）は、本実施形態の人工股関節用部品１０を別体の骨頭ボール１２とともに示した図である。人工股関節用部品１０は、骨頭ボール１２を支持する本体部１４と、本体部１４の底面から下向きに延びる挿入部１６と、を備えている。
【００１８】
本体部１４は、人工関節置換術において、大腿骨５０の切断面６８よりも上方に位置する部位で、その上端部には、先端側に向かうにつれて細くなる円錐形状のネック部１８が一体に形成されている。本体部１４では、かかるネック部１８を別体の骨頭ボール１２の連結孔１２ａに圧入させて、骨頭ボール１２を支持している。
【００１９】
挿入部１６は、人工関節置換術において、大腿骨５０の切断面６８よりも下方に位置し、大腿骨５０の内部に挿入される部位である。挿入部１６は、本体部１４よりも細径、すなわち周長が短かく、本体部１４に段差部２０を介して一体的に形成されている。図１（Ｂ）に示すように、段差部２０は、挿入部１６の周方向に亘って形成されており、挿入部１６が大腿骨５０の内部に挿入された際、段差部２０の下向きの面が大腿骨５０の上面（切断面６８）に当接する。
【００２０】
挿入部１６は、基端側から先端側に向かって漸次周長が短くなった先細りの形状で、大腿骨５０の切断面６８より下方に位置する患者の大腿骨５０の髄腔６０に挿入可能とされている。挿入部１６の外面には、大腿骨５０の内部に挿入された際に対向する髄腔６０の内面形状と略一致する形状の嵌合面１７が周方向に亘って設けられている。ここで、略一致する形状とは、対向する髄腔６０の内面形状と完全に一致することを意味するだけでなく、実質的に一致することも意味する。すなわち、髄腔６０内に挿入可能で且つ挿入後にがたつき無く嵌り合い可能な形状も含まれる。
【００２１】
図２は、人工股関節用部品１０の縦断面を示している。人工股関節用部品１０では、本体部１４がポーラス構造体１４ａとその外周を覆う表皮層１４ｂとで構成され、また挿入部１６がポーラス構造体１６ａとその外周を覆う表皮層１６ｂとで構成されている。また、本体部１４および挿入部１６の中心部には、周囲をポーラス構造体１４ａおよび１６ａで囲まれた空洞部３０が形成されている。空洞部３０は、挿入部１６の先端に形成された図中下向きの開口３２を通じて人工股関節用部品１０の外部と連通するように構成されている。
【００２２】
ポーラス構造体１４ａおよび１６ａは、図２の部分拡大図で示すように、複数の棒状もしくは板状の小片２６が相互に接合され、かかる小片２６以外の部分に空隙２８が形成されている。このようなポーラス構造体１４ａ，１６ａを設けることで、人工股関節用部品の軽量化を図ることができる。また、挿入部１６の先端に形成された開口３２を通じて人工股関節用部品１０の内部に進入した骨髄細胞は、ポーラス構造体１４ａ，１６ａの空隙２８に定着して、その周囲にある小片２６を足場に成長することができる。
ポーラス構造体１４ａ，１６ａの具体的な形状は、その製造性や強度を考慮して適宜決定することができる。
【００２３】
表皮層１４ｂ，１６ｂは、ポーラス構造体１４ａ，１６ａよりも薄肉で、ポーラス構造体１４ａ，１６ａを覆うように形成されている。表皮層１４ｂ，１６ｂは、ポーラス構造体１４ａ，１６ａの外面近傍に位置する小片２６の径方向外向きの端部と一体に接合されており、人工股関節用部品１０の強度を高めることができる。またポーラス構造体１４ａ，１６ａを覆うように表皮層１４ｂ，１６ｂを設けておくことで、積層造形法を用いて人工股関節用部品１０を造形する場合の製造性を向上させることができる。
【００２４】
図１に示すように、本例の表皮層１４ｂ，１６ｂには、厚み方向に貫通する複数の貫通孔３４が形成されている。貫通孔３４は、人工股関節用部品１０を積層造形法で作成した際、人工股関節用部品１０内に残存する未溶融の金属粉末を外部に排出するための排出孔としての機能を有する。
【００２５】
本実施形態の人工股関節用部品１０は、生体親和性に優れたＴｉ−６Ａｌ−４Ｖなどのチタン合金の粉末用い、積層造形法により形成される。
図３は、この人工股関節用部品１０の製造手順を示すフローである。
【００２６】
まず、人工股関節用部品１０が取り付けられる患者の大腿骨５０を、ＣＴ装置、ＭＲＩ装置などの非破壊断面撮影装置４０により、例えば１００μｍなどの所定間隔で順次撮影し、大腿骨５０の各断面ごとの断面撮影データを取得する（ステップＳ１０１）。そして、得られた各断面の撮影データを、ワークステーションに送信可能なＤＩＣＯＭ（Digital Imaging and Communications in Medicine）形式で出力する（ステップＳ１０２）。
【００２７】
次に、ワークステーション４２にて、上記ＤＩＣＯＭ形式の断面撮影データを、ＳＴＬ（Standard Trianglation language）形式に変換し（ステップＳ１０３）、その後ワークステーション４２にインストールされている３次元ＣＡＤソフトウェアにて読み込み、これらのデータを重ね合わせて大腿骨５０の３次元形状を再現する（ステップＳ１０４）。
【００２８】
次に、得られた大腿骨５０の３次元形状に基づいて、人工股関節用部品１０の形状を決定する（ステップＳ１０５）。具体的には、３次元ＣＡＤソフトウェア上で再現された大腿骨５０の３次元形状から、骨切り予定の位置３６（図５（Ａ）参照）よりも下方に位置する大腿骨５０の髄腔６０の内面形状を抽出して、これを人工股関節用部品１０の挿入部１６の外面に設けられる嵌合面１７の面形状とする。なお、嵌合面１７は、図４（Ａ）において破線のハッチングで示すように、挿入部１６の軸方向全体の領域に設けても良いし、図４（Ｂ）に示すように挿入部１６の軸方向の一部の領域に限定して設けることも可能である。
【００２９】
また、切断面６８よりも上方に位置する大腿骨５０の外面形状を抽出して、これを人工股関節用部品１０の本体部１４の外面形状とする。なお、本体部１４および挿入部１６の外殻を構成する表皮層１４ｂ，１６ｂとポーラス構造体１４ａ，１６ａのそれぞれの厚み、ポーラス構造体１４ａ，１６ａの具体的な形状、挿入部１６の軸方向長さ等は、断面撮影データから得られる皮質骨５６の密度や、構造解析ソフトを使用して求められる応力分布等を考慮して適宜決定する。
【００３０】
次に、所定の金属粉末材料（ここではＴｉ−６Ａｌ−４Ｖ合金粉末）を用い、積層造形可能な３Ｄプリンタ４４により人工股関節用部品１０を造形する（ステップＳ１０６）。３Ｄプリンタ４４では、３次元ＣＡＤソフトウェアにて作成した人工股関節用部品１０のスライスデータに基づき、金属粉末を所定の厚みに敷き均した粉末層に、レーザ光を走査して、所定の位置にある金属粉末を溶融・凝固させる。この操作を、１断面（１スライスデータ）ごと繰り返して、所定の形状の構造体を得る。
【００３１】
積層造形後、不要な部分を切り取って、その後、滅菌して所定形状の人工股関節用部品１０を得る（ステップＳ１０７）。
【００３２】
このようにして得られた人工股関節用部品１０は、人工関節置換術において、骨切りされた大腿骨５０の切断面６８にて開口する髄腔６０内の空洞部に挿入される（図５（Ｂ）参照）。このとき、人工股関節用部品１０における段差部２０の下向きの面が大腿骨５０の切断面６８と当接するとともに、挿入部１６の嵌合面１７が大腿骨５０の髄腔６０の内に実質隙間無く嵌め合わされて位置固定される。人工股関節用部品１０を位置固定するための接着剤としての医療用セメントは不要である。なお、場合によっては、大腿骨５０の皮質骨５６及び人工股関節用部品１０の挿入部１６を径方向に貫通する固定用のピン（図示省略）を設け、軸方向の固定力を高めることも可能である。
そして、生体親和性に優れたチタン合金からなる人工股関節用部品１０は、患者の大腿骨に挿入されて一定期間が経過すると、骨組織と一体化する。
【００３３】
なお、人工関節置換術では、骨盤側に、骨頭ボール１２と嵌合する人工の骨臼カップ（図示省略）が固定され、本例における人工股関節用部品１０のほか、骨頭ボール１２、骨臼カップ等の部品により人口股関節が構成される。
【００３４】
以上のように本実施形態の人工股関節用部品１０は、挿入部１６の外面に、大腿骨５０の内部に挿入された際に対向する髄腔６０の内面形状と略一致する形状の嵌合面１７が周方向に亘って設けられているため、本来的に大腿骨５０の内部に形成されている空洞部である髄腔６０を利用して、人工股関節用部品１０を位置固定することができる。
このため本実施形態の人工股関節用部品１０を用いた人工関節置換術では、人工股関節用部品１０を患者の大腿骨５０内に挿入するに際し、改めて人工股関節用部品１０の挿入部１６の外面形状に合わせて大腿骨５０の内部を掘削する作業を廃止もしくは最小限に留めることができ、髄腔６０内の骨髄細胞が掘削作業により破壊されてしまうのを防止することができる。従って、本実施形態の人工股関節用部品１０を用いた人工関節置換術では、多くの骨髄細胞を残存させることができ、術後において早期に骨髄細胞の再生を図ることができる。また、本実施形態の人工股関節用部品１０を用いた人工関節置換術では、大腿骨５０の内部を掘削する作業を実質的に廃止することで、手術時間の大幅な削減を図ることができる。
【００３５】
また、本実施形態の人工股関節用部品１０では、本体部１４および挿入部１６を、それぞれポーラス構造体１４ａ，１６ａで構成しており、人工股関節用部品の軽量化を図ることができる。ポーラス構造体１４ａ，１６ａは、挿入部１６の先端に形成された開口３２を通じて人工股関節用部品１０の外部と連通する空隙２８を多数備えており、本実施形態の人工股関節用部品１０が患者の大腿骨に固定された後は、図６で示すように挿入部１６の先端に形成された開口３２を通じて人工股関節用部品１０の内部に進入した骨髄細胞を、ポーラス構造体１４ａ，１６ａに定着させることで、骨髄細胞を早期に再生させることができる。
【００３６】
また、本実施形態の人工股関節用部品１０では、ポーラス構造体１４ａ，１６ａの外周を覆うように、薄肉の表皮層１４ｂ，１６ｂが形成されているため、人工股関節用部品の一部をポーラス構造体とした場合であっても、表皮層１４ｂ，１６ｂにより所定の強度を確保することが容易となる。また、表皮層１４ｂ，１６ｂを設けておくことで、ポーラス構造体を備えた人工股関節用部品１０を積層造形法で造形する場合の製造性を向上させることができる。
【００３７】
また、表皮層１４ｂ，１６ｂには複数の貫通孔３４が形成されており、人工股関節用部品１０を積層造形法で造形した際、貫通孔３４は人工股関節用部品内に残存する未溶融の金属粉末の排出孔として機能する。そして、本実施形態の人工股関節用部品１０が患者の大腿骨５０に固定された後は、貫通孔３４を通じて表皮層１４ｂ，１６ｂを内外に貫通する血管が形成される。
【００３８】
本実施形態の人工股関節用部品１０は、人工股関節用部品に置換される大腿骨５０から取得したＣＴ断面撮影データもしくはＭＲＩ断面撮影データの重ね合せにより再現された大腿骨５０の３次元形状に基づいて、その形状を決定し、金属粉末材料を用いた積層造形法により造形する。
【００３９】
このような製造方法によれば、ＣＴ断面撮影データもしくはＭＲＩ断面撮影データの重ね合せにより再現された大腿骨５０の３次元形状に基づいて、患者ごとに最適な形状の人工股関節用部品１０を提供することができる。従って、挿入部１６の外面に、患者の髄腔６０の内面形状と略一致する形状の嵌合面１７が設けられた人工股関節用部品１０を容易に製造することができる。また、積層造形法によれば、形状において高い自由度が得られるため、複雑な形状を有するポーラス構造体１４ａ，１６ａにも対応することができる。
【００４０】
以上本発明の実施形態を詳述したがこれらはあくまでも一例示である。上記実施形態では、骨頭ボールと人工股関節用部品とを別体で構成した例を示したが、骨頭ボールを一体に備えた人工股関節用部品を積層造形により作製することも可能である。また、人工股関節用部品１０内部の空洞部３０を縮小または廃止して、ポーラス構造体１４ａ，１６ａの領域を更に拡げた構成を採用することも可能である等、本発明はその趣旨を逸脱しない範囲において様々変更を加えた形態で構成可能である。
【符号の説明】
【００４１】
１０  人工股関節用部品
１２  骨頭ボール
１４  本体部
１４ａ，１６ａ  ポーラス構造体
１４ｂ，１６ｂ  表皮層
１６  挿入部
１７  嵌合面
２８  空隙
３２  開口
３４  貫通孔
５０  大腿骨
６０  髄腔
【図１】
2020028509.tif 000003
【図２】
2020028509.tif 000004
【図３】
2020028509.tif 000005
【図４】
2020028509.tif 000006
【図５】
2020028509.tif 000007
【図６】
2020028509.tif 000008
【図７】
2020028509.tif 000009